(57)【要約】【課題】使用者が彫刻刀を使用する際に誤って指等を傷つけることを防止できる彫刻刀を提供する【解決手段】使用者によって把持される軸筒３と、軸筒３の内部に配された芯部材２と、芯部材２の先端に固定される刃体部材６とを有する彫刻刀１であって、前記軸筒３は、芯部材２に対して相対的に移動可能であり、軸筒３の軸方向の移動によって、刃体部材６は、軸筒３から突出する突出姿勢と軸筒３内に退避する退避姿勢との切り替えが可能であり、軸筒３の周方向の回転により、刃体部材６は、前記突出姿勢と退避姿勢の各々の姿勢に固定される構成としている。【選択図】図２
2012196823.tif 000002
【特許請求の範囲】
【請求項１】
使用者によって把持される軸筒と、軸筒の内部に配された芯部材と、芯部材の先端に固定される刃体部とを有する彫刻刀であって、
前記軸筒は、芯部材に対して相対的に移動可能であり、
軸筒の軸方向の移動によって、刃体部は、軸筒から突出する突出姿勢と軸筒内に退避する退避姿勢との切り替えが可能であり、
軸筒の周方向の回転により、刃体部は、前記突出姿勢と退避姿勢の各々の姿勢に固定されることを特徴とする彫刻刀。
【請求項２】
軸筒の内側面に筒側突起又は筒側溝を有しており、
芯部材の外側面に芯側溝又は芯側突起を有しており、
筒側突起又は筒側溝が芯側溝又は芯側突起と互いに係合し、相対的に移動することによって、
刃体部の前記突出姿勢と退避姿勢との切り替えが可能であることを特徴とする請求項１に記載の彫刻刀。
【請求項３】
ガード部を有する保護部材を備えており、
前記ガード部は、少なくとも刃体部の刃先近傍に位置する保護姿勢を取ることが可能であることを特徴とする請求項１又は２に記載の彫刻刀。
【請求項４】
保護部材は芯部材に対して相対的に移動可能であり、
ガード部が刃体部の刃先近傍に位置する保護姿勢と、ガード部が軸筒内に退避するガード部退避姿勢との切り替えが可能であることを特徴とする請求項３に記載の彫刻刀。
【請求項５】
軸筒の内側面に筒側突起を有しており、
保護部材の内側面に保護側突起を有しており、
芯部材の外側面に前記芯側溝及び保護側溝を有しており、
筒側突起は芯側溝に係合し、芯側溝に沿って移動可能であり、
保護側突起は保護側溝に係合し、保護側溝に沿って移動可能であり、
芯側溝及び保護側溝は、芯部材の周方向に配された２つの水平溝と、前記水平溝間をつなぐ垂直溝を有しており、
芯側溝の垂直溝は、保護側溝の垂直溝に対して周方向にずれていることを特徴とする請求項４に記載の彫刻刀。
【発明の詳細な説明】
【技術分野】
【０００１】
本発明は、彫刻刀に関するものである。
【背景技術】
【０００２】
彫刻刀は、彫刻や版画を行う場合に使用する刃物であり、芸術家が創作活動を行う場合に使用するほか、学校教育における児童生徒の教材としても広く利用されている。
彫刻刀の構造は、特許文献１に記載されているような丸刀、切出刀、平ノミ等の各種の刃先形状を有する刀身に、木や樹脂の柄が取り付けられた構造を有している。
【先行技術文献】
【特許文献】
【０００３】
【特許文献１】特開２００５−３１９６２４号公報
【発明の概要】
【発明が解決しようとする課題】
【０００４】
ところで、彫刻刀は、通常一セット単位で収納ケースに収納されて販売されることが多く、使用者は収納ケースから彫刻刀を取り出して使用する。即ち、使用する彫刻刀の種類を変更する場合は、変更する彫刻刀を収納ケースに収納し、新たに使用する彫刻刀を収納ケースから取り出して使用する。しかしながら、使用者は作品制作に没頭すると、変更時に収納ケースに収納せず、彫刻刀が抜き身の状態で作品の近傍に放置されることが多い。そのため、誤って刃先を握り、指等を負傷する場合があった。特に、児童生徒が使用する場合、指等が負傷しやすく、学校教育において安全性が問題視されていた。
【０００５】
そこで本発明は、使用者が彫刻刀を使用する際に誤って指等を傷つけることを防止できる彫刻刀を提供することを目的とする。
【課題を解決するための手段】
【０００６】
上記課題を解決するための請求項１の発明は、使用者によって把持される軸筒と、軸筒の内部に配された芯部材と、芯部材の先端に固定される刃体部とを有する彫刻刀であって、前記軸筒は、芯部材に対して相対的に移動可能であり、軸筒の軸方向の移動によって、刃体部は、軸筒から突出する突出姿勢と軸筒内に退避する退避姿勢との切り替えが可能であり、軸筒の周方向の回転により、刃体部は、前記突出姿勢と退避姿勢の各々の姿勢に固定されることを特徴とする彫刻刀である。
【０００７】
かかる構成によれば、軸筒の軸方向の移動によって、刃体部は、軸筒から突出する突出姿勢と軸筒内に退避する退避姿勢との切り替えが可能であるため、使用後に退避姿勢にしておけば、例え、収納ケースに収納せずに作品の近傍に放置したとしても、使用者が誤って彫刻刀に接触し、指等を傷つけることがない。
また、軸筒の周方向の回転により、刃体部は、前記突出姿勢と退避姿勢の各々の姿勢に固定される。即ち、軸筒の軸方向の移動によって突出姿勢と退避姿勢を切り替える切り替え動作と、軸筒の周方向の回転によって姿勢を固定する固定動作は、移動動作の方向が異なるため、誤って、突出姿勢と退避姿勢の切り替えてしまうことがない。
【０００８】
請求項２に記載の発明は、軸筒の内側面に筒側突起又は筒側溝を有しており、芯部材の外側面に芯側溝又は芯側突起を有しており、筒側突起又は筒側溝が芯側溝又は芯側突起と互いに係合し、相対的に移動することによって、刃体部の前記突出姿勢と退避姿勢との切り替えが可能であることを特徴とする請求項１に記載の彫刻刀である。
【０００９】
かかる構成によれば、軸筒の内側面に筒側突起又は筒側溝を有しており、芯部材の外側面に芯側溝又は芯側突起を有しており、筒側突起又は筒側溝が芯側溝又は芯側突起と互いに係合し、相対的に移動することによって、刃体部の前記突出姿勢と退避姿勢との切り替えが可能であるため、突出姿勢と退避姿勢の切り替えに複雑な動作が必要ない。即ち、児童でも容易に使用できる。
【００１０】
請求項３に記載の発明は、ガード部を有する保護部材を備えており、前記ガード部は、少なくとも刃体部の刃先近傍に位置する保護姿勢を取ることが可能であることを特徴とする請求項１又は２に記載の彫刻刀である。
【００１１】
かかる構成によれば、刃体部の刃先近傍に位置する保護姿勢を取ることが可能であるため、例え、彫刻時に被彫刻物を押さえた手に刃先が突進しても、手がガード部により防御される。即ち、彫刻時においても、誤って指等を傷つけることがなく、児童でも安心して使用できる。
【００１２】
請求項４に記載の発明は、保護部材は芯部材に対して相対的に移動可能であり、ガード部が刃体部の刃先近傍に位置する保護姿勢と、ガード部が軸筒内に退避するガード部退避姿勢との切り替えが可能であることを特徴とする請求項３に記載の彫刻刀である。
【００１３】
かかる構成によれば、ガード部が刃体部の刃先近傍に位置する保護姿勢と、ガード部が軸筒内に退避するガード部退避姿勢との切り替えが可能であるため、ガード部を軸筒内に退避させることができる。即ち、例え従来の彫刻刀に慣れ親しみ、ガード部が刃先の近くにあると使用しづらいと感じる使用者であっても、保護部材を本体部に沿って移動させ、刃から保護部材を退避させることによって、従来と同様の動作で彫刻作業を行うことができる。
【００１４】
請求項５に記載の発明は、軸筒の内側面に筒側突起を有しており、保護部材の内側面に保護側突起を有しており、芯部材の外側面に前記芯側溝及び保護側溝を有しており、筒側突起は芯側溝に係合し、芯側溝に沿って移動可能であり、保護側突起は保護側溝に係合し、保護側溝に沿って移動可能であり、芯側溝及び保護側溝は、芯部材の周方向に配された２つの水平溝と、前記水平溝間をつなぐ垂直溝を有しており、芯側溝の垂直溝は、保護側溝の垂直溝に対して周方向にずれていることを特徴とする請求項４に記載の彫刻刀である。
【００１５】
かかる構成によれば、芯側溝の垂直溝は、保護側溝の垂直溝に対して周方向にずれているため、軸筒と保護部材は互いに独立して移動可能である。即ち、一連の動作で姿勢の切り替えが可能である。
【発明の効果】
【００１６】
本発明によれば、軸筒の軸方向の移動によって、刃体部は、軸筒から突出する突出姿勢と軸筒内に退避する退避姿勢との切り替えが可能であるため、使用後に退避姿勢にしておけば、例え、収納ケースに収納せずに作品の近傍に放置したとしても、使用者が誤って彫刻刀に接触し、指等を傷つけることがない。また、軸筒の周方向の回転により、刃体部は、前記突出姿勢と退避姿勢の各々の姿勢に固定される。即ち、軸筒の軸方向の移動によって突出姿勢と退避姿勢を切り替える切り替え動作と、軸筒の周方向の回転によって姿勢を固定する固定動作は、移動方向が異なるため、誤って、突出姿勢と退避姿勢を切り替えてしまうことがない。
【図面の簡単な説明】
【００１７】
【図１】本発明の実施形態に係る彫刻刀を示す斜視図である。
【図２】図１の彫刻刀を示す分解斜視図である。
【図３】図１の芯部材を示す斜視図である。なお、図１の芯部材の角度を周方向に少しずらして図示している。
【図４】図３の芯部材を示す正面図である。
【図５】図４の前段部と中段部を示す説明図である。
【図６】図１の軸筒を示す一部破断斜視図である。
【図７】図１の保護部材を示す一部破断斜視図である。
【図８】図７の保護部材を別角度から見た斜視図である。なお、図７の保護部材を天地方向に逆転して図示している。
【図９】姿勢変更の動作における保護係合溝と内側突起部、及び軸筒係合溝と突出部の位置関係の説明図であり、（ａ）退避姿勢時の位置関係を表す図、（ｂ）退避姿勢から芯部材を周方向に回転させた時の位置関係を表す図、（ｃ）突出姿勢時の位置関係を表す図、（ｄ）突出姿勢から芯部材を周方向に回転させた時の位置関係を表す図、（ｅ）保護部材退避姿勢時の位置関係を表す図である。
【図１０】保護部材と刃体部材の双方が軸筒内に退避した退避姿勢における彫刻刀の説明図である。
【図１１】保護部材と刃体部材の双方が軸筒から突出した突出姿勢における彫刻刀の説明図である。
【図１２】突出姿勢における彫刻刀の側面図である。
【図１３】刃体部材が突出し、保護部材が軸筒に退避した保護部材退避姿勢における彫刻刀の説明図である。
【図１４】突出姿勢における彫刻刀の彫刻動作を表す説明図であり、（ａ）彫刻前、（ｂ）被彫刻物に彫刻刀が接触する時、（ｃ）被彫刻物に彫刻刀が彫り込まれている時を表す。
【発明を実施するための形態】
【００１８】
以下に本発明の実施形態について詳細に説明する。
なお、以下の説明において、特に断りがない限り、上下左右の位置関係は、図１のように刃体部材６及び保護部材５が軸筒３から突出した姿勢（以下、突出姿勢ともいう）を基準に説明する。即ち、図１において幅方向を左右、高さ方向を上下、長手方向を前後と表す。
【００１９】
彫刻刀１は、彫刻や版画を行う際に使用するものであり、図１、２のように芯部材２と軸筒３と保護部材５と刃体部材６とによって構成されている。
【００２０】
以下、各部材の構成について説明する。まず、刃体部材６について説明する。
刃体部材６の刃先の形状は、特に限定されるものではなく、平刀、丸刀、三角刀、切り出し刀、平刀等の通常に用いられる彫刻刀の刃先の形状が採用可能である。
【００２１】
続いて、芯部材２について説明する。
芯部材２は、外形が段付きの芯材である。即ち、芯部材２は、図３のように同一中心上に３つの略円柱状の部材が積み重なった形状をしている。芯部材２は、前方から順にそれぞれ外径が異なる前段部７と、中段部８と、後段部１０とによって構成されている。また、前記した芯部材２と刃体部材６は、実質的に一体不可分に接合されている。
【００２２】
前段部７は、図３のように外側面に保護係合溝１１を有している。なお、図３では、保護係合溝１１と軸筒係合溝１７の形状及び位置の理解を容易にする為、図２の芯部材２を少し周方向に移動させて図示している。保護係合溝１１の形状は正面視において略「Ｚ」字状をしている。即ち、保護係合溝１１は、図４のように周方向に配された２つの水平溝１２、１５を有しており、これらの水平溝間をつなぐ垂直溝１６によって形成されている。垂直溝１６の長さは後述する軸筒３の操作溝２７（図２参照）の長さにほぼ等しい。前段部７の外径は、保護部材５の内径とほぼ等しい。
【００２３】
中段部８は、外側側面に軸筒係合溝１７を有している。軸筒係合部１７の形状は、保護係合部１１と同様、正面視において略「Ｚ」字状をしている。即ち、軸筒係合溝１７は、図４のように周方向に配された２つの水平溝２１、２２を有しており、これらの水平溝間をつなぐ垂直溝２３によって形成されている。前段部７の外周面と中段部８の外周面は、立壁部２５を介して段状に連続している。中段部８の外径は、前段部７の外径よりも大きく、保護部材５の外径とほぼ等しい。即ち、立壁部２５の高さは保護部材５の厚みとほぼ等しい。
【００２４】
後段部１０は、姿勢を変更する際に主に把持される部位である。
中段部８の外周面と後段部１０の外周面は立壁部２６を介して段状に連続している。
後段部１０の外径は、中段部８の外径よりも大きく、軸筒３の外径にほぼ等しい。即ち、組み立て完成時における突出姿勢において、後段部１０の外周面は、図１のように軸筒３の外周面と面一となっている。また、立壁部２６によって、軸方向の後方への軸筒３の動きを規制可能である。
【００２５】
ここで、前段部７の保護係合溝１１と中段部８の軸筒係合溝１７の形状及び位置関係について図５を用いて詳説する。
保護係合溝１１と軸筒係合溝１７は５つの領域に分けられる。即ち、組み立て完成時に退避姿勢に対応する退避領域Iと、軸筒３が中段部８の垂直溝２３に沿って移動可能な軸筒移動領域IIと、突出姿勢に対応する突出領域IIIと、保護部材５が前段部７の垂直溝１６に沿って移動可能な保護部材移動領域IVと、ガード部退避姿勢に対応する保護部材退避領域Vとに分類される。また、保護係合溝１１の周方向（図５では左右方向）の全長は、軸筒係合溝１７の周方向の全長と等しい。
【００２６】
保護係合溝１１の水平溝１２は、軸筒係合溝１７の水平溝２１に比べて長く、退避領域Iと軸筒移動領域IIと突出領域IIIの３領域に亘って属している。一方、軸筒係合溝１７の水平溝２１は退避領域Iのみに属している。そして、軸筒係合溝１７の垂直溝２３は軸筒移動領域IIに属している。また、保護係合溝１１の水平溝１５は、軸筒係合溝１７の水平溝２２に比べて短く、保護部材退避領域Vのみに属している。そして、保護係合溝１１の垂直溝１６は保護部材移動領域IVに属している。一方、軸筒係合溝１７の水平溝２２は突出領域IIIと、保護部材移動領域IVと、保護部材退避領域Vの３領域に亘って属している。言い換えると、保護係合溝１１の垂直溝１６と軸筒係合溝１７の垂直溝２３との位置は周方向（図５では右方向）にずれている。具体的には、前段部７の垂直溝１６と中段部８の垂直溝２３は突出領域IIIの間隔を空けて配されている。
【００２７】
続いて、軸筒３について説明する。
軸筒３は、内径が一定の筒状の部材であり、内部に芯部材２の前段部７及び中段部８が収納可能である。軸筒３は、図６のように軸方向に沿った操作溝２７を有しており、操作溝２７は軸筒３の先端付近から軸筒３の中間まで直線状に延びている。操作溝２７は軸筒３の厚み方向に貫通する。操作溝２７の幅は、保護部材５の外側突起部３５（図７参照）の外径に等しいかやや大きく、外側突起部３５が操作溝２７に沿ってスライド可能になっている。軸筒３の内壁には、図６のように軸筒３の中心軸方向へ突出した突出部３０を有している。突出部３０は、軸筒３の後方の端部付近に設けられている。突出部３０は、芯部材２の中段部８に設けられた軸筒係合溝１７（図３参照）内に挿入可能であり、軸筒係合溝１７に沿ってスライド可能となっている。
【００２８】
続いて、保護部材５について説明する。
保護部材５は、ＡＢＳ樹脂や、ポリカーボネート（ＰＣ）樹脂、ポリアセタール（ＰＯＭ）樹脂等の剛性を有した樹脂によって成形されている。そして、保護部材５は、組み立て完成時における突出姿勢において、軸筒３内に収納される筒状部３１と、軸筒３の外部に露出するガード部３２を有している。
筒状部３１は、筒状の部位であり、図７のように内側面と外側面の互いに対応した位置に、内外方向に突出した内側突起部３３と外側突起部３５を有している。
ガード部３２は、図７、８のように筒状部３１の先端の縁から前方に向けて延設されている。このガード部３２は左右方向両側で一対の壁部３６、３７を有しており、その先端には左右方向に延びた支点部３８が接続されている。壁部３６、３７と支点部３８は連続して設けられており、環状に繋がっている。なお、図８は、ガード部３２の形状の理解を深めるため、図７の保護部材を天地方向に逆転して図示している。
【００２９】
また、壁部３６、３７は基端側（筒状部３１側）から先端側に向かうにつれて先細りしている。即ち、壁部３６、３７は基端から先端に向かって幅が緩やかに狭くなっている。
壁部３６、３７の上辺部５０（図８では下方の辺）は、基端から先端に向けて緩やかに下方に向かって傾斜しており、下辺部５１（図８では上方の辺）は、基端から先端に向けて上方に向かって傾斜している。
保護部材５は、天地方向に壁部３６、３７と支点部３８によって囲まれた環状形状の２つの開口が形成されている。即ち、保護部材５は、図７、８のように保護部材５の上部に位置する上部開口４０と保護部材５の下部に位置する下部開口４１を有している。そして、上部開口４０と下部開口４１は連通している。
以上が彫刻刀１の各部材の構成である。
【００３０】
続いて、彫刻刀１の各部材の位置関係について図面を参照しながら説明する。
【００３１】
突出姿勢においては、彫刻刀１は、図１１のように芯部材２の前段部７の周りを保護部材５の筒状部３１が覆っており、芯部材２の前段部７と中段部８と、保護部材５の筒状部３１と、の周りを軸筒３が覆っている。即ち、保護部材５は、芯部材２の前段部７と軸筒３との間に位置している。保護部材５の内側突起部３３（図７参照）は、芯部材２の前段部７の保護係合溝１１（図３参照）内に挿入されている。即ち、保護部材５の内側突起部３３は、保護係合溝１１の溝壁によって係止されており、保護係合溝１１内の範囲内のみで移動可能となっている。軸筒３の突出部３０（図６参照）は、芯部材２の中段部８の軸筒係合溝１７（図３参照）内に挿入されている。即ち、軸筒３の突出部３０は、軸筒係合溝１７の溝壁によって係止されており、軸筒係合溝１７内の範囲内のみで移動可能となっている。また、軸筒３の操作溝２７内に保護部材５の外側突起部３５が挿入されている。保護部材５の外側突起部３５は、軸筒３の操作溝２７によって係止されており、軸筒３の操作溝２７内のみ移動可能となっている。即ち、保護部材５は、保護係合溝１１と操作溝２７の両方によって移動を規制されている。保護部材５の内側突起部３３と軸筒３の突出部３０は、図９のように、いずれの姿勢においても軸方向（図９では上下方向）に常に直線状に１列に並んで配されている。
【００３２】
本発明の彫刻刀１は、使用状態に合わせて３種類の姿勢を取ることが可能である。そこで、姿勢変更の動作の手順に沿って、図９を基準に各姿勢での各部材の位置関係について説明する。なお、図９は、姿勢変更の動作における保護係合溝１１と内側突起部３３、及び軸筒係合溝１７と突出部３０の位置関係のみを抜き出した概念図であり、黒丸は内側突起部３３及び突出部３０の現在位置を示している。一点鎖線は芯部材２の前段部７と中段部８の対応位置及び対応領域を表している。
【００３３】
まず、説明の都合上、図１０のような軸筒３内に刃体部材６及び保護部材５が収納された姿勢（以下、退避姿勢ともいう）から説明する。（図９（ａ））
彫刻刀１は、図１０のように退避姿勢においては、軸筒３内に刃体部材６及び保護部材５が収納されている。保護部材５の内側突起部３３と軸筒３の突出部３０は、図９（ａ）のように軸方向（図９では上下方向）に直線状に１列に並んで配されている。保護部材５の内側突起部３３は、芯部材２の前段部７の保護係合溝１１内に挿入されており、保護係合溝１１の前方に位置する水平溝１２の端部に位置している。また、軸筒３の突出部３０は軸筒係合溝１７内に挿入されており、軸筒係合溝１７の前方に位置する水平溝２１の端部に位置している。具体的には、保護部材５の内側突起部３３及び軸筒３の突出部３０は、退避領域I（図５参照）に位置している。この姿勢において、保護部材５の内側突起部３３及び軸筒３の突出部３０は、それぞれ水平溝１２、２１の軸方向（図９では上下方向）の溝壁によって係止され、軸方向（図９では上下方向）の移動を規制される。そのため、彫刻刀１は、図１０のように軸筒３内に刃体部材６が収納された状態で固定され、刃体部材６が露出しないため、使用者が誤って負傷することがない。
【００３４】
次に、軸筒３に対して芯部材２を前方から見て時計回り方向に回し、その後、芯部材２を軸筒３に対して相対的に前方へ移動させる。この時、保護部材５の内側突起部３３及び軸筒３の突出部３０は、図９（ｂ）のように軸筒移動領域II（図５参照）に属している。即ち、軸筒３の突出部３０は、垂直溝２３の周方向（図９では左右方向）の溝壁によって係止され、周方向の移動を規制される。また、軸筒３の突出部３０は軸方向の規制が解除され、垂直溝２３に沿って軸方向に移動可能となる。一方、保護部材５の内側突起部３３は未だ水平溝１２に位置するため、水平溝１２の軸方向の溝壁によって係止され、軸方向の移動が規制されている。そのため、軸筒３の突出部３０の軸方向に移動に伴って、軸筒３のみが後方に移動し、刃体部材６及び保護部材５が露出する。
【００３５】
その後、再び軸筒３に対して芯部材２を前方から見て時計回り方向に回し、保護部材５の内側突起部３３及び軸筒３の突出部３０を、保護係合溝１１と軸筒係合溝１７に係止させることによって固定する。この時、刃体部材６及び保護部材５は、図１１のように軸筒３から突出した姿勢（以下、突出姿勢又は保護姿勢ともいう）に固定される。保護部材５の内側突起部３３及び軸筒３の突出部３０は、図９（ｃ）のように突出領域III（図５参照）に属している。即ち、保護部材５の内側突起部３３及び軸筒３の突出部３０は、それぞれ水平溝１２、２２の軸方向の溝壁によって係止され、軸方向の移動を規制される。そのため、彫刻作業の際に、切削方向たる軸方向に刃体部材６及び保護部材５に力が加わっても、刃体部材６及び保護部材５は相対的に移動することがない。また、この突出姿勢において、図１２のようにガード部３２の先端付近の下方の位置には刃体部材６の一部がガード部３２から露出する。そのため、刃体部材６の刃先は被彫刻物に接触することができる。また、刃体部材６の刃先は、ガード部３２の先端に位置する支点部３８よりも後方に位置している。
【００３６】
次に、さらに軸筒３に対して芯部材２を前方から見て時計回り方向に回し、その後、保護部材を軸筒３に対して相対的に後方へ移動させる。この時、保護部材５の内側突起部３３及び軸筒３の突出部３０は、図９（ｄ）のように保護部材移動領域IV（図５参照）に属している。即ち、保護部材５の内側突起部３３は、垂直溝１６の周方向（図９では左右方向）の溝壁によって係止され、周方向の移動を規制される。また、保護部材５の内側突起部３３は軸方向の移動の規制が解除され、垂直溝１６に沿って軸方向に移動可能となる。一方、軸筒３の突出部３０は水平溝２２に位置するため、水平溝２２の軸方向の溝壁によって係止され、芯部材２に対する軸方向の移動が規制されている。
また、この時、軸筒３の操作溝２７（図６参照）と軸筒係合溝１１の垂直溝１６の一部又は全部は、投影面上に重なっている。そのため、保護部材５は、垂直溝１６（操作溝２７）に沿って軸方向に移動可能となる。即ち、保護部材５のみが軸方向に移動可能となる。そのため、保護部材５の内側突起部３３の軸方向に移動に伴って、軸筒３及び芯部材２に対して保護部材５のみが軸方向に相対的に移動する。
【００３７】
その後、再び軸筒３に対して前方から見て時計回り方向に回し、保護部材５の内側突起部３３及び軸筒３の突出部３０を、保護係合溝１１と軸筒係合溝１７に係止させることによって固定する。即ち、保護部材５は、図１３のように軸筒３内に退避する姿勢（以下、保護部材退避姿勢ともいう）に固定される。この時、保護部材５の内側突起部３３及び軸筒３の突出部３０は、図９（ｅ）のように保護部材退避領域V（図５参照）に属している。即ち、保護部材５の内側突起部３３及び軸筒３の突出部３０は、それぞれ水平溝１５、２２の軸方向の溝壁によって係止され、軸方向の移動を規制される。そのため、彫刻作業の際に、切削方向たる軸方向に刃体部材６に力が加わっても、刃体部材６は相対的に移動することがない。また、この保護部材退避姿勢において、図１３のように刃体部材６のみが軸筒３から露出する。そのため、例え、熟練者のように通常の彫刻刀に慣れており、保護部材５に煩わしさを感じたとしても、切り替え動作を行うことによって、通常の彫刻刀と同様の彫刻作業を行うことができる。
【００３８】
続いて、突出姿勢における彫刻刀１の彫刻動作について説明する。なお、保護部材退避姿勢における彫刻刀１の彫刻動作については、通常の彫刻刀と同様であるため、省略する。
【００３９】
まず、彫刻刀１は、彫刻の際には、図１４（ａ）のように通常の彫刻刀と同様に斜め方向から被彫刻物の表面に彫り込む。そして、被彫刻物表面に対して刃体部材６が斜め方向に彫り込まれると、ガード部３２が被彫刻物表面に当接する。そして、刃体部材６の刃先が被彫刻物を彫り込まれると、図１４（ｂ）のようにガード部３２が適度に撓む。そして、さらに彫り進めると、図１４（ｃ）のように被彫刻物表面上をガード部３２が滑り被彫刻物に彫刻される。この時、例え、力が入れすぎて被彫刻物を押さえた手に刃体部材６の刃先が突進しても、手にガード部３２が接触し、刃体部材６の刃先が手に触れることを防止できる。また、刃体部材６の刃先の延長上にガード部３２が存在しないため、ガード部３２に干渉されることがなく目的の方向に彫刻することができる。
【００４０】
上記した実施形態では、芯部材２の外周面に保護係合溝１１及び軸筒係合溝１７を設け、軸筒３の内側面に突出部３０、保護部材５の内側面に内側突起部３３を設けたが、本発明はこれに限定されるものではなく、芯部材２に突起を設け、軸筒３と保護部材５に溝を設けてもよい。
【００４１】
上記した実施形態では、保護部材５を設けたが、本発明はこれに限定されるものではなく、保護部材５を設けなくてもよい。
【００４２】
上記した実施形態では、壁部３６、３７と支点部３８は連続して設けられていたが、本発明はこれに限定されるものではなく、支点部３８が分裂していてもよい。
【００４３】
上記した実施形態では、保護部材５の内側突起部３３と軸筒３の突出部３０は、軸方向に常に直線状に１列に並んで配されているが、本発明はこれに限定されるものではなく、保護部材５の内側突起部３３と軸筒３の突出部３０は、１列に並んでいなくてもよい。
【符号の説明】
【００４４】
１  彫刻刀
２  芯部材
３  軸筒
５  保護部材
６  刃体部材（刃体部）
１１  保護係合溝
１２  水平溝
１５  水平溝
１６  垂直溝
１７  軸筒係合溝（筒側溝）
２１  水平溝
２２  水平溝
２３  垂直溝
３０  突出部（筒側突起）
３２  ガード部
３３  内側突起部（保護側突起）
【図１】
2012196823.tif 000003
【図２】
2012196823.tif 000004
【図３】
2012196823.tif 000005
【図４】
2012196823.tif 000006
【図５】
2012196823.tif 000007
【図６】
2012196823.tif 000008
【図７】
2012196823.tif 000009
【図８】
2012196823.tif 000010
【図９】
2012196823.tif 000011
【図１０】
2012196823.tif 000012
【図１１】
2012196823.tif 000013
【図１２】
2012196823.tif 000014
【図１３】
2012196823.tif 000015
【図１４】
2012196823.tif 000016